(57)【要約】【課題】生活スタイルが異なる利用者の睡眠の改善を支援する技術を提供する。【解決手段】報知装置は、第１イベントの予定時刻を受け取る受取部と、第１イベントの予定時刻に応じて、第２イベントの予定時刻を決定する決定部と、音を出力する音出力部に対し、第１イベントの予定時刻および第２イベントの予定時刻を示す報知音の出力を制御する制御部と、を含む。【選択図】図１
2018019951.tif 000002
【特許請求の範囲】
【請求項１】
第１イベントの予定時刻を受け取る受取部と、
前記第１イベントの予定時刻に応じて、第２イベントの予定時刻を決定する決定部と、
音を出力する音出力部に対し、前記第１イベントの予定時刻および前記第２イベントの予定時刻を示す報知音の出力を制御する制御部と、
を含む報知装置。
【請求項２】
前記第２イベントは、就床を含み、
前記受取部は、さらに、利用者の年齢を受け取り、
前記決定部は、さらに、前記利用者の年齢に応じて、前記就床の予定時刻を決定する、
請求項１に記載の報知装置。
【請求項３】
前記受取部は、さらに、睡眠予定時間を受け取り、
前記決定部は、さらに、前記睡眠予定時間に応じて、前記就床の予定時刻を決定する、
請求項２に記載の報知装置。
【請求項４】
前記制御部は、特定のイベントから所定の継続した期間の間、基準テンポとはテンポの異なる音楽を、前記音出力部から出力する、
請求項１から３のいずれか１項に記載の報知装置。
【請求項５】
前記受取部は、さらに、外出の予定時刻を受け取り、
前記制御部は、前記外出の予定時刻が前記第１イベントの予定時刻よりも遅く、かつ、前記第１イベントの予定時刻と前記外出の予定時刻との間の時間帯の長さが第２時間よりも短く、かつ、前記第２イベントの予定時刻が前記時間帯に含まれる場合に、前記音出力部に対し、当該第２イベントの予定時刻を示す報知音の出力を中止させる、
請求項１から４のいずれか１項に記載の報知装置。
【請求項６】
前記決定部は、前記第１イベントの予定時刻に応じて前記第１イベントの予定時刻と前記第２イベントの予定時刻との間の時間が変更するように、前記第２イベントの予定時刻を決定する、請求項１から５のいずれか１項に記載の報知装置。
【請求項７】
第１イベントの予定時刻を受け取り、
前記第１イベントの予定時刻に応じて、第２イベントの予定時刻を決定し、
音を出力する音出力部に対し、前記第１イベントの予定時刻および前記第２イベントの予定時刻を示す報知音の出力を制御する、
報知方法。
【請求項８】
コンピュータに、
第１イベントの予定時刻を受け取る受取手順と、
前記第１イベントの予定時刻に応じて、第２イベントの予定時刻を決定する決定手順と、
音を出力する音出力部に対し、前記第１イベントの予定時刻および前記第２イベントの予定時刻を示す報知音の出力を制御する制御手順と、
を実行させるためのプログラム。
【発明の詳細な説明】
【技術分野】
【０００１】
本発明は、睡眠の改善を支援する技術に関する。
【背景技術】
【０００２】
国民の５人に１人は睡眠について悩んでいると言われている。睡眠を妨げる原因が生活リズム（例えば、食事の時刻、入浴の時刻または就床の時刻）の乱れである場合、生活リズムを改めることによって睡眠の改善を図ることができると考えられる。
【０００３】
特許文献１には、利用者の睡眠の改善を図る睡眠改善装置が記載されている。この睡眠改善装置は、予めデータベースに保存されている複数のアドバイス情報の中から、利用者の睡眠状況に基づいてアドバイス情報を選択し、その選択したアドバイス情報をモニタに表示する。アドバイス情報としては、例えば、飲食を行うべき時刻と入浴の時刻が用いられる。
【先行技術文献】
【特許文献】
【０００４】
【特許文献１】特開２００９−２３３０２７号公報
【発明の概要】
【発明が解決しようとする課題】
【０００５】
生活リズムに影響するイベント（例えば、起床、食事または入浴）の時刻は、生活スタイルに応じて変化する。例えば、午前６時に起床する人と午前１０時に起床する人では、食事および就床の時刻が異なる可能性が高い。
【０００６】
特許文献１に記載の睡眠改善装置は、利用者の生活スタイルを考慮していないため、生活スタイルが異なる利用者ごとに、睡眠の改善を図れるイベントの時刻（例えば、食事の時刻または入浴の時刻）を知らせることができない可能性がある。このため、この睡眠改善装置は、生活スタイルが異なる利用者の睡眠を改善できないおそれがある。
【０００７】
本発明は上述した事情に鑑みてなされたものであり、生活スタイルが異なる利用者の睡眠の改善を支援する技術を提供することを解決課題とする。
【課題を解決するための手段】
【０００８】
本発明の報知装置の一態様は、第１イベントの予定時刻を受け取る受取部と、前記第１イベントの予定時刻に応じて、第２イベントの予定時刻を決定する決定部と、音を出力する音出力部に対し、前記第１イベントの予定時刻および前記第２イベントの予定時刻を示す報知音の出力を制御する制御部と、を含む。
【０００９】
上述した報知装置の一態様として、前記第２イベントは、就床を含み、前記受取部は、さらに、利用者の年齢を受け取り、前記決定部は、さらに、前記利用者の年齢に応じて、前記就床の予定時刻を決定することが望ましい。
【００１０】
上述した報知装置の一態様として、前記受取部は、さらに、睡眠予定時間を受け取り、前記決定部は、さらに、前記睡眠予定時間に応じて、前記就床の予定時刻を決定することが望ましい。
【００１１】
上述した報知装置の一態様として、前記制御部は、特定のイベントから所定の継続した期間の間、基準テンポとはテンポの異なる音楽を、前記音出力部から出力することが望ましい。
【００１２】
上述した報知装置の一態様として、前記受取部は、さらに、外出の予定時刻を受け取り、前記制御部は、前記外出の予定時刻が前記第１イベントの予定時刻よりも遅く、かつ、前記第１イベントの予定時刻と前記外出の予定時刻との間の時間帯の長さが第２時間よりも短く、かつ、前記第２イベントの予定時刻が前記時間帯に含まれる場合に、前記音出力部に対し、前記第２イベントの予定時刻を示す報知音の出力を中止させることが望ましい。
【００１３】
上述した報知装置の一態様として、前記決定部は、前記第１イベントの予定時刻に応じて前記第１イベントの予定時刻と前記第２イベントの予定時刻との間の時間が変更するように、前記第２イベントの予定時刻を決定することが望ましい。
【００１４】
本発明の報知方法の一態様は、第１イベントの予定時刻を受け取り、前記第１イベントの予定時刻に応じて、第２イベントの予定時刻を決定し、音を出力する音出力部に対し、前記第１イベントの予定時刻および前記第２イベントの予定時刻を示す報知音の出力を制御する。
【００１５】
本発明のプログラムの一態様は、コンピュータに、第１イベントの予定時刻を受け取る受取手順と、前記第１イベントの予定時刻に応じて、第２イベントの予定時刻を決定する決定手順と、音を出力する音出力部に対し、前記第１イベントの予定時刻および前記第２イベントの予定時刻を示す報知音の出力を制御する制御手順と、を実行させる。
【図面の簡単な説明】
【００１６】
【図１】第１実施形態に係る睡眠改善支援装置１００を示した図である。
【図２】生活リズム基礎情報１０３ｂの一例を示した図である。
【図３】音楽情報１０３ｃの一例を示した図である。
【図４】利用者情報１０３ｄの一例を示した図である。
【図５】睡眠改善支援装置１００の動作を説明するためのフローチャートである。
【図６】第２実施形態に係る睡眠改善支援装置１００Ａを示した図である。
【図７】第３実施形態に係る睡眠改善支援装置１００Ｂを示した図である。
【図８】イベントの予定時刻の到来の知らせを省略する動作例を示した図である。
【発明を実施するための形態】
【００１７】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１８】
＜第１実施形態＞
図１は、本発明の第１実施形態に係る睡眠改善支援装置１００を含む睡眠改善支援システム１を示した図である。睡眠改善支援装置１００は、報知装置の一例である。睡眠改善支援システム１は、睡眠改善支援装置１００と、スピーカ等の音出力部２００とを含んで構成されている。睡眠改善支援装置１００は、利用者に生活リズムの改善を促すことによって利用者の睡眠の改善を支援する。睡眠改善支援装置１００は、時計部１０１と、入力部１０２と、記憶部１０３と、処理部１０４と、を含んで構成されている。
【００１９】
時計部１０１は、例えば、ＲＴＣ（Real Time Clock）である。時計部１０１は、時刻を計時する。入力部１０２は、例えば、タッチパネルまたは操作ボタンである。入力部１０２は、種々の入力を受ける。例えば、入力部１０２は、利用者から利用者の起床予定時刻（以下、単に「起床予定時刻」とも称する）を受ける。起床は、第１イベント、さらに言えば、生活リズムに影響する第１イベントの一例である。
【００２０】
記憶部１０３は、コンピュータにて読み取り可能な記録媒体の一例である。さらに言えば、記憶部１０３は、非一過性（non-transitory）の記録媒体である。記憶部１０３、例えば、半導体記録媒体、磁気式記録媒体または光学式記録媒体等の公知の任意の形式の記録媒体、または、これらの記録媒体が組み合わされた記録媒体である。なお、本明細書中において、「非一過性」の記録媒体は、一過性の伝搬信号（transitory, propagating signal）を一時的に記憶する伝送線等の記録媒体を除く全てのコンピュータ読み取り可能な記録媒体を含み、揮発性の記録媒体を除外するものではない。
【００２１】
記憶部１０３は、睡眠改善支援装置１００の動作を規定するプログラム１０３ａと、生活リズム基礎情報１０３ｂと、音楽情報１０３ｃと、利用者に関する情報（例えば、利用者のイベント予定時刻）を表す利用者情報１０３ｄと、を記憶する。
【００２２】
生活リズム基礎情報１０３ｂは、生活リズムに関する情報である。
図２は、生活リズム基礎情報１０３ｂの一例を示した図である。図２では、生活リズム基礎情報１０３ｂとして、睡眠時間（例えば７時間）を表す睡眠時間情報１０３ｂ１と、入浴と就床の間の時間間隔（例えば３時間）を表す第１間隔情報１０３ｂ２と、夕食と入浴の間の時間間隔（例えば２時間）を表す第２間隔情報１０３ｂ３と、昼食と夕食の間の時間間隔（例えば７時間）を表す第３間隔情報１０３ｂ４と、起床と朝食の間の時間間隔（例えば１時間）を表す第４間隔情報１０３ｂ５とが、示されている。
【００２３】
音楽情報１０３ｃは、生活リズムに影響するイベントごとに記憶されている。生活リズムに影響するイベントとしては、例えば、起床、朝食、昼食、夕食、入浴および就床が挙げられる。音楽情報１０３ｃは、例えば、演奏された音楽をデータ化した演奏データ、後述する音信号生成部１０４ｃ２を制御するパラメータ、または音の波形データである。
【００２４】
図３は、音楽情報１０３ｃの一例（音楽情報Ｍ１〜Ｍ６）を示した図である。
音楽情報Ｍ１は、起床に対応づけられている。音楽情報Ｍ２は、朝食に対応づけられている。音楽情報Ｍ３は、昼食に対応づけられている。音楽情報Ｍ４は、夕食に対応づけられている。音楽情報Ｍ５は、入浴に対応づけられている。音楽情報Ｍ６は、就床に対応づけられている。音楽情報Ｍ１、Ｍ２およびＭ３は、基準テンポよりも速いテンポを有する音楽を表す。音楽情報Ｍ４、Ｍ５およびＭ６は、基準テンポよりも遅いテンポを有する音楽を表す。音楽情報Ｍ１〜Ｍ６は互いに異なる音楽を表す。
【００２５】
音楽情報Ｍ１〜Ｍ６の各々は、睡眠改善支援装置１００の出荷前に登録される。なお、音楽情報Ｍ１〜Ｍ６の各々は、利用者によって登録または変更されてもよい。音楽情報Ｍ１〜Ｍ６のうち利用者によって登録または変更された音楽情報については、基準テンポとの関係は適宜変更される。
【００２６】
説明を図１に戻す。処理部１０４は、ＣＰＵ（Central Processing Unit）等の処理装置（コンピュータ）である。処理部１０４は、記憶部１０３に記憶されたプログラム１０３ａを読み取り実行することによって、受取部１０４ａと決定部１０４ｂと制御部１０４ｃとを実現する。
【００２７】
受取部１０４ａは、入力部１０２から種々の情報（例えば、起床予定時刻）を受け取る。
決定部１０４ｂは、受取部１０４ａが受け取った起床予定時刻に応じて、利用者の朝食予定時刻、利用者の昼食予定時刻、利用者の夕食予定時刻、利用者の入浴予定時刻、および利用者の就床予定時刻を決定する。ここで、朝食、昼食、夕食、入浴および就床の各々は、第２イベント、さらに言えば、生活リズムに影響する第２イベントの一例である。以下、「利用者の朝食予定時刻」を「朝食予定時刻」と称し、「利用者の昼食予定時刻」を「昼食予定時刻」と称し、「利用者の夕食予定時刻」を「夕食予定時刻」と称し、「利用者の入浴予定時刻」を「入浴予定時刻」と称し、「利用者の就床予定時刻」を「就床予定時刻」と称する。
決定部１０４ｂは、利用者の第２イベントの予定時刻（就床予定時刻、入浴予定時刻、夕食予定時刻、昼食予定時刻、および朝食予定時刻）を、以下のように決定する。
【００２８】
決定部１０４ｂは、起床予定時刻（例えば、午前６時）から睡眠時間情報１０３ｂ１が表す睡眠時間（図２に示した例では７時間）を減算することによって、就床予定時刻（例えば、午後１１時）を決定する。
【００２９】
決定部１０４ｂは、就床予定時刻（例えば、午後１１時）から、第１間隔情報１０３ｂ２が表す入浴と就寝の間の時間間隔（図２に示した例では３時間）を減算することによって、入浴予定時刻（例えば、午後８時）を決定する。
【００３０】
決定部１０４ｂは、入浴予定時刻（例えば、午後８時）から、第２間隔情報１０３ｂ３が表す夕食と入浴の間の時間間隔（図２に示した例では２時間）を減算することによって、夕食予定時刻（例えば、午後６時）を決定する。
【００３１】
決定部１０４ｂは、夕食予定時刻（例えば、午後６時）から、第３間隔情報１０３ｂ４が表す昼食と夕食の間の時間間隔（図２に示した例では７時間）を減算することによって、昼食予定時刻（例えば、午前１１時）を決定する。
【００３２】
決定部１０４ｂは、起床予定時刻（例えば、午前６時）に、第４間隔情報１０３ｂ５が表す起床と朝食の間の時間間隔（図２に示した例では１時間）を加算することによって、朝食予定時刻（例えば、午前７時）を決定する。
【００３３】
決定部１０４ｂは、利用者の第２イベント（朝食、昼食、夕食、入力および就床）の予定時刻を決定すると、利用者の第１イベント（起床）の予定時刻と、利用者の第２イベントの予定時刻とを、利用者情報１０３ｄとして記憶部１０３に記憶する。
【００３４】
図４は、利用者情報１０３ｄの一例（起床予定時刻１０３ｄ１、朝食予定時刻１０３ｄ２、昼食予定時刻１０３ｄ３、夕食予定時刻１０３ｄ４、入浴予定時刻１０３ｄ５、および就床予定時刻１０３ｄ６）を示した図である。図４では、起床予定時刻１０３ｄ１として午前６時が記憶され、朝食予定時刻１０３ｄ２として午前７時が記憶され、昼食予定時刻１０３ｄ３として午前１１時が記憶され、夕食予定時刻１０３ｄ４として午後６時が記憶され、入浴予定時刻１０３ｄ５として午後８時が記憶され、就床予定時刻１０３ｄ６として午後１１時が記憶されている。
【００３５】
制御部１０４ｃは、音出力部２００に対し、利用者の第１イベントの予定時刻と、利用者の第２イベントの予定時刻と、を示す報知音の出力を制御する。以下、第１イベントと第２イベントとを纏めて、単に「イベント」と称する。制御部１０４ｃは、出力制御部１０４ｃ１と音信号生成部１０４ｃ２とを含む。
【００３６】
出力制御部１０４ｃ１は、起床予定時刻１０３ｄ１と朝食予定時刻１０３ｄ２と昼食予定時刻１０３ｄ３と夕食予定時刻１０３ｄ４と入浴予定時刻１０３ｄ５と就床予定時刻１０３ｄ６との各々と、時計部１０１の計時時刻とを比較することで、各予定時刻の到来を検出する。出力制御部１０４ｃ１は、時計部１０１の計時時刻がいずれかのイベントの予定時刻になると、そのイベントを示すイベント情報を音信号生成部１０４ｃ２に通知する。
【００３７】
音信号生成部１０４ｃ２は、イベント情報が示すイベントに対応づけられた音楽情報１０３ｃを記憶部１０３から読み出し、読み出した音楽情報１０３ｃに基づいて音信号を生成する。音信号生成部１０４ｃ２は、生成した音信号を音出力部２００に出力することによって、音楽情報１０３ｃが表す音楽を、その音楽のオリジナルのテンポで音出力部２００から出力する。
【００３８】
例えば、出力制御部１０４ｃ１は、時計部１０１の計時時刻が起床予定時刻１０３ｄ１になると、起床を示すイベント情報を音信号生成部１０４ｃ２に通知する。音信号生成部１０４ｃ２は、イベント情報が示す起床に対応づけられた音楽情報Ｍ１を記憶部１０３から読み出し、音楽情報Ｍ１に基づいて音信号を生成する。音信号生成部１０４ｃ２は、生成した音信号を音出力部２００に出力することによって、音楽情報Ｍ１が表す音楽を音出力部２００から出力する。これにより、起床予定時刻１０３ｄ１の到来が知らされる。
【００３９】
次に、動作を説明する。図５は、睡眠改善支援装置１００の動作を説明するためのフローチャートである。
利用者が入力部１０２を用いて第１イベントの予定時刻として起床予定時刻を入力すると、入力部１０２は、起床予定時刻を受取部１０４ａに供給する。受取部１０４ａは、入力部１０２から起床予定時刻を受け取ると（ステップＳ５０１）、起床予定時刻を決定部１０４ｂに供給する。
【００４０】
決定部１０４ｂは、受取部１０４ａから起床予定時刻（第１イベントの予定時刻）を受け取ると、起床予定時刻と生活リズム基礎情報１０３ｂとを用いて、複数の第２イベント（朝食、昼食、夕食、入浴および就床）の各々の予定時刻を決定する（ステップＳ５０２）。決定部１０４ｂは、上述した手法で複数の第２イベントの各々の予定時刻を決定する。
続いて、決定部１０４ｂは、例えば図４に示したように、起床予定時刻（第１イベントの予定時刻）と複数の第２イベントの各々の予定時刻とを記憶部１０３に記憶する（ステップＳ５０３）。
【００４１】
続いて、出力制御部１０４ｃ１は、各イベントの予定時刻と時計部１０１の計時時刻とを比較することによって、イベントごと、イベントの予定時刻が到来したか否かを判断する（ステップＳ５０４）。
【００４２】
出力制御部１０４ｃ１は、イベントの予定時刻が到来した場合、予定時刻の到来が検出されたイベントを示すイベント情報を、音信号生成部１０４ｃ２に通知する。音信号生成部１０４ｃ２は、イベント情報が示すイベントに対応づけられた音楽情報１０３ｃを記憶部１０３から読み出す（ステップＳ５０５）。
【００４３】
音信号生成部１０４ｃ２は、読み出した音楽情報１０３ｃに基づいて音信号を生成する。
例えば、音楽情報１０３ｃとして、ＭＩＤＩ（Musical Instrument Digital Interface）データなどの演奏情報が用いられた場合、音信号生成部１０４ｃ２は、ＭＩＤＩデータから音の波形データを音信号として生成し、その音信号（波形データ）を音出力部２００に供給する。
また、音楽情報１０３ｃとして、音の波形データが用いられた場合、音信号生成部１０４ｃ２は、記憶部１０３から読み出した波形データを音信号として音出力部２００に供給する。
音出力部２００は、音信号生成部１０４ｃ２から音信号を受け取ると、その音信号に応じた音楽を出力する（ステップＳ５０６）。この音楽の出力によって、イベントの予定時刻の到来が知らされる。その後、処理がステップＳ５０４に戻る。
【００４４】
本実施形態によれば、決定部１０４ｂは、生活リズムに影響する第１イベントの予定時刻に応じて、生活リズムに影響する第２イベントの予定時刻を決定する。そして、制御部１０４ｃは、音出力部２００に対し、第１イベントの予定時刻および第２イベントの予定時刻を示す報知音の出力を制御する。
よって、報知音の出力によって、生活スタイルの異なる利用者に、生活スタイルに応じた生活リズムを意識させて生活リズムの乱れの改善を促すことができ、これにより、利用者の睡眠の改善を支援することができる。
【００４５】
制御部１０４ｃは、第２イベントの種類（朝食、昼食、夕食、入浴および就床）に応じて、第２イベントの予定時刻の到来を知らせる音楽を変更する。よって、イベントの種類に応じた音楽を用いることで、音楽によって利用者に第２イベントの種類を知らせることが可能になる。
【００４６】
上述したように第１イベントとして起床が用いられる場合、利用者が睡眠改善支援装置１００に対して行う操作は、利用者が目覚まし時計に対して行う操作に類似する。このため、利用者は、睡眠改善支援装置１００を直感的に操作することが容易になる。
【００４７】
第２イベントとして就床が含まれる場合、睡眠改善支援装置１００は、第１イベントの予定時刻に応じた就床予定時刻の到来を利用者に知らせることが可能になる。このため、利用者に就床予定時刻を意識させて就床時刻の乱れの改善を促すことができ、これにより、利用者の睡眠の改善を支援できる。
【００４８】
＜第２実施形態＞
第１実施形態では、イベントの予定時刻に出力される音楽のテンポは、音楽情報１０３ｃが表す音楽のオリジナルのテンポとなる。これに対して、本発明の第２実施形態では、イベントの予定時刻に出力される音楽のテンポが利用者の脈拍に応じて変更される。以下、第２実施形態について、第１実施形態と異なる点を中心に説明する。
【００４９】
図６は、第２実施形態に係る睡眠改善支援装置１００Ａを含む睡眠改善支援システム１Ａを示した図である。なお、図６において、図１に示したものと同一構成のものには同一符号を付してある。
【００５０】
睡眠改善支援装置１００Ａは、プログラム１０３ａの代わりにプログラム１０３ａ１を用いる点と、処理部１０４がプログラム１０３ａ１を実行することによって受取部１０４ａと決定部１０４ｂと制御部１０４ｃと生体情報取得部１０４ｄとテンポ設定部１０４ｅとを実現する点において、図１に示した睡眠改善支援装置１００と異なる。
【００５１】
生体情報取得部１０４ｄは、センサ３００と接続される。センサ３００は、例えば、腕時計型等のウェアラブル機器に搭載され、利用者の生体情報として、利用者の脈拍を検出する。センサ３００は、利用者の脈拍を生体情報取得部１０４ｄに供給する。生体情報取得部１０４ｄは、センサ３００から利用者の脈拍を取得する。なお、センサ３００として、脈拍の代わりに心拍を検出するセンサが用いられてもよい。この場合の説明は、以下の説明において「脈拍」という文言を「心拍」という文言に読み替えることによって実現される。
【００５２】
テンポ設定部１０４ｅは、生体情報取得部１０４ｄが取得した利用者の脈拍に基づいて、利用者の脈拍のテンポを特定する。テンポ設定部１０４ｅは、利用者の脈拍のテンポに応じて音楽のテンポを決定する。
【００５３】
テンポ設定部１０４ｅは、起床予定時刻よりも基準時間（例えば５分）前の時刻から夕方（例えば午後５時）までの期間においては、利用者の脈拍のテンポよりも速いテンポを示すテンポ指示を音信号生成部１０４ｃ２に供給する。基準時間は、５分に限らず適宜変更可能である。なお、基準時間を示す基準時間情報が記憶部１０３に記憶され、テンポ設定部１０４ｅは、記憶部１０３から基準時間情報を読み出すことによって基準時間を認識する。
【００５４】
テンポ設定部１０４ｅは、夕方（例えば午後５時）から、起床予定時刻よりも基準時間前の時刻までの期間においては、利用者の脈拍のテンポよりも遅いテンポを示すテンポ指示を音信号生成部１０４ｃ２に供給する。なお、夕方の時刻は午後５時に限らず、適宜変更可能である。
【００５５】
音信号生成部１０４ｃ２は、イベント情報を受け取ると、イベント情報に示されたイベントに応じた音楽情報１０３ｃを記憶部１０３から読み出し、その音楽情報１０３ｃに基づいて音信号を生成する。
続いて、音信号生成部１０４ｃ２は、生成した音信号の示す音楽のテンポがテンポ指示の示すテンポとなるように、音信号を加工する。例えば、音信号が波形データである場合、音信号生成部１０４ｃ２は、波形データに応じた音楽のテンポがテンポ指示の示すテンポとなるように、波形データに対して時間伸長処理（データ補間）又は間引処理を施す。
続いて、音信号生成部１０４ｃ２は、加工（例えば、時間伸長処理又は間引処理）が施された音信号を音出力部２００に供給する。
【００５６】
一般的に利用者は、利用者の脈拍（または心拍）よりも早いテンポの音を聞くと活動的になり、利用者の脈拍（または心拍）よりも遅いテンポの音を聞くとリラックスする傾向がある。
本実施形態によれば、起床予定時刻よりも基準時間前の時刻から夕方までの期間においては、利用者の脈拍（または心拍）よりも早いテンポの音楽を利用者に聞かせることによって利用者を活動的にすることが可能になる。また、夕方から、起床予定時刻よりも基準時間前の時刻までの期間においては、利用者の脈拍のテンポよりも遅いテンポの音楽を利用者に聞かせることによって利用者をリラックスさせることが可能になる。
【００５７】
＜第３実施形態＞
本発明の第３実施形態は、第１実施形態に、利用者が昼寝をしすぎることを抑制する機能を付加した形態である。
【００５８】
図７は、第３実施形態に係る睡眠改善支援装置１００Ｂを含む睡眠改善支援システム１Ｂを示した図である。なお、図７において、図１に示したものと同一構成のものには同一符号を付してある。
【００５９】
睡眠改善支援装置１００Ｂは、プログラム１０３ａの代わりにプログラム１０３ａ２を用いる点と、処理部１０４がプログラム１０３ａ２を実行することによって受取部１０４ａと決定部１０４ｂと制御部１０４ｃと生体情報取得部１０４ｄと昼寝管理部１０４ｆとを実現する点において、図１に示した睡眠改善支援装置１００と異なる。以下、第３実施形態について、第１実施形態と異なる点を中心に説明する。
【００６０】
昼寝管理部１０４ｆは、生体情報取得部１０４ｄが取得した利用者の脈拍に基づいて利用者の脈拍のテンポを特定する。昼寝管理部１０４ｆは、利用者の脈拍のテンポと、時計部１０１の計時時刻と、昼食予定時刻１０３ｄ３と、夕食予定時刻１０３ｄ４と、に基づいて、利用者が昼食の予定時刻から夕食の予定時刻までの時間帯（以下「昼寝監視時間帯」と称する）に睡眠しているか否か、つまり、利用者が昼寝をしているか否かを判断する。
【００６１】
人は睡眠に入ると脈拍数が低くなる。このため、昼寝管理部１０４ｆは、昼寝監視時間帯において利用者の脈拍数が所定値よりも低くなると、利用者が昼寝に入ったと判断する。なお、所定値は利用者ごとに設定されることが望ましい。
【００６２】
ところで、１５分〜３０分程度の時間の短い仮眠は睡眠不足を改善する効果を有することが知られている。このため、１５分〜３０分程度の時間の短い仮眠は「パワーナップ」とも呼ばれている。昼寝管理部１０４ｆは、利用者の昼寝がパワーナップになるように動作する。
具体的には、昼寝管理部１０４ｆは、利用者が昼寝に入ったと判断してから特定時間（１５分〜３０分の時間）経過すると、音信号生成部１０４ｃ２にアラーム情報を通知する。音信号生成部１０４ｃ２は、アラーム情報を受け取ると、起床に対応づけられている音楽情報Ｍ１を記憶部１０３から読み出し、音楽情報Ｍ１に基づいて音信号を生成する。続いて、音信号生成部１０４ｃ２は、生成した音信号を音出力部２００に供給して、音出力部２００から音楽情報Ｍ１に応じた音楽を出力させ、利用者を目覚めさせる。このため、利用者の昼寝をパワーナップにすることができる。なお、特定時間を示す特定時間情報が記憶部１０３に記憶され、昼寝管理部１０４ｆは、記憶部１０３から特定時間情報を読み出すことによって特定時間を認識する。
【００６３】
本実施形態によれば、利用者が昼寝をしても、その昼寝を、睡眠不足の改善につながるパワーナップにすることができる。よって、昼寝時間が必要以上に長くなって、寝付き難くなることを抑制可能になる。
【００６４】
＜変形例＞
以上の各実施態様は多様に変形され得る。具体的な変形の態様を以下に例示する。以下の例示から任意に選択された２以上の態様は相矛盾しない限り適宜に併合され得る。
【００６５】
＜変形例１＞
受取部１０４ａが、入力部１０２を介して利用者の年齢を受け取り、利用者の年齢を決定部１０４ｂに供給し、決定部１０４ｂが、利用者の年齢に応じて、睡眠時間情報１０３ｂ１が示す睡眠時間を修正してもよい。例えば、決定部１０４ｂは、利用者の年齢が高いほど、睡眠時間情報１０３ｂ１が示す睡眠時間を短くする。
【００６６】
睡眠時間は、利用者の年齢が高いほど短いと言われている。このため、変形例１によれば、例えば、利用者の年齢に応じた睡眠時間を考慮して就床の予定時刻を決定することが可能になる。
【００６７】
＜変形例２＞
生活リズム基礎情報１０３ｂ（睡眠時間情報１０３ｂ１、第１間隔情報１０３ｂ２、第２間隔情報１０３ｂ３、第３間隔情報１０３ｂ４、および第４間隔情報１０３ｂ５のうちの少なくとも１つ）は、利用者によって変更または設定されてもよい。
【００６８】
例えば、睡眠時間情報１０３ｂ１が記憶部１０３に記憶されている状況で、利用者が入力部１０２を操作して睡眠予定時間を入力した場合、受取部１０４ａは入力部１０２からその睡眠予定時間を受け取り、その睡眠予定時間を決定部１０４ｂに供給する。決定部１０４ｂは、記憶部１０３に記憶されている睡眠時間情報１０３ｂ１を、受取部１０４ａから受け取った睡眠予定時間を表す情報に更新する。
【００６９】
また、睡眠時間情報１０３ｂ１が記憶部１０３に記憶されていない状況で、利用者が入力部１０２を操作して睡眠予定時間を入力した場合、その睡眠予定時間は、受取部１０４ａを介して決定部１０４ｂに供給される。決定部１０４ｂは、受取部１０４ａから受け取った睡眠予定時間を表す睡眠時間情報１０３ｂ１を記憶部１０３に記憶する。
【００７０】
変形例２によれば、例えば、利用者が理想とする睡眠予定時間に応じて、就床の予定時刻を決定することが可能になる。
【００７１】
＜変形例３＞
第１イベントは、起床に限らず適宜変更可能である。例えば、第１イベントとして、朝食または就床が用いられてもよい。
制御部１０４ｃは、第１イベントが起床である場合には起床予定時刻の到来時に音楽情報Ｍ１に応じた音楽を音出力部２００から出力し、第１イベントが朝食である場合には朝食予定時刻の到来時に音楽情報Ｍ２に応じた音楽を音出力部２００から出力する。また、制御部１０４ｃは、第１イベントが就床である場合には、就床予定時刻の到来時に音楽情報Ｍ６に応じた音楽を音出力部２００から出力する。
このように、制御部１０４ｃは、第１イベントの種類（例えば、起床、朝食または就床）に応じて、第１イベントの予定時刻の到来を知らせる音楽を変更する。よって、音楽で利用者にイベントの種類を知らせることが可能になる。
【００７２】
＜変形例４＞
制御部１０４ｃは、就床の予定時刻よりも第１時間前（例えば１０分前）の時点から就床の予定時刻までの期間を含む継続した期間の間、基準テンポよりもテンポの遅い音楽を、音出力部２００から出力してもよい。なお、第１時間を示す第１時間情報は記憶部１０３に記憶され、制御部１０４ｃは、記憶部１０３から第１時間情報を読み取ることによって第１時間を認識する。また、基準テンポとしては、例えば、人の平均的な心拍のテンポが用いられてもよいし、利用者Ｅの心拍のテンポが用いられてもよい。
変形例４によれば、利用者は、就床の予定時刻よりも第１時間前の時点から就床の予定時刻までの期間を含む継続した期間に、基準テンポよりもテンポの遅い音楽を聴くことによって、リラックスして就床でき、利用者に速やかな就寝を促すことが可能になる。
【００７３】
＜変形例５＞
制御部１０４ｃは、起床の予定時刻から朝食の予定時刻までの期間を含む継続した期間の間、基準テンポよりもテンポの速い音楽を、音出力部２００から出力してもよい。起床は特定のイベントの一例であり、基準テンポよりもテンポの速い音楽は基準テンポとは異なるテンポの異なる音楽の一例である。
変形例５によれば、利用者は、起床の予定時刻から朝食の予定時刻までの期間を含む継続した期間に、基準テンポよりもテンポの速い音楽を聴くことによって、活動的になりやすく目覚めをよくすることができる。
【００７４】
＜変形例６＞
イベントは、起床、朝食、昼食、夕食、入浴および就床に限らず、適宜変更可能である。
例えば、イベントとして、朝食後の運動と就床前の運動とが追加されてもよい。この場合、生活リズム基礎情報１０３ｂとして、朝食と朝食後の運動との間の時間間隔（例えば１時間）を表す第５間隔情報と、就床前の運動と就床との間の時間間隔（例えば１時間）を表す第６間隔情報とが追加され、音楽情報１０３ｃとして、朝食後の運動に対応づけられた音楽情報と、就床前の運動に対応づけられた音楽情報とが追加される。
朝食後の運動に対応づけられた音楽情報は、基準テンポよりもテンポの速い音楽を表すことが好ましい。また、就床前の運動に対応づけられた音楽情報は、基準テンポよりもテンポの遅い音楽を表すことが望ましい。これらの音楽情報は、利用者によって変更または設定されてもよい。
【００７５】
変形例６では、決定部１０４ｂは、朝食予定時刻に、第５間隔情報が表す朝食と朝食後の運動との間の時間間隔（例えば１時間）を加算することによって、朝食前の運動の予定時刻を決定する。制御部１０４ｃは、時計部１０１の計時時刻が朝食前の運動の予定時刻になると、朝食前の運動に対応づけられた音楽情報を記憶部１０３から読み出す。続いて、制御部１０４ｃは、その音楽情報に応じた音信号を生成し、その音信号を音出力部２００に出力する。これにより、朝食前の運動の予定時刻の到来が知らされる。
【００７６】
また、決定部１０４ｂは、就床予定時刻から、第６間隔情報が表す就床前の運動と就床の間の時間間隔（例えば１時間）を減算することによって、就床前の運動の予定時刻を決定する。制御部１０４ｃは、時計部１０１の計時時刻が就床前の運動の予定時刻になると、就床前の運動に対応づけられた音楽情報を記憶部１０３から読み出す。続いて、制御部１０４ｃは、その音楽情報に応じた音信号を生成し、その音信号を音出力部２００に出力する。これにより、就床前の運動の予定時刻の到来が知らされる。
【００７７】
＜変形例７＞
記憶部１０３は、生活リズム基礎情報１０３ｂを、曜日単位で記憶してもよい。この場合、時計部１０１は、計時時刻に加えてカレンダ情報も出力する。決定部１０４ｂは、曜日単位で、その曜日の生活リズム基礎情報１０３ｂを用いて第２イベントの予定時刻を決定する。制御部１０４ｃは、時計部１０１が出力する計時時刻およびカレンダ情報を用いて、イベント時刻の到来を音楽で知らせる。
変形例７によれば、各曜日における第１イベントの予定時刻が同じであっても、第２イベントとの予定時刻を曜日単位で変更することが可能になる。
【００７８】
＜変形例８＞
音信号生成部１０４ｃ２は、就床予定時刻から起床予定時刻までの期間では、音出力部２００から出力される音楽の音量を所定レベルよりも低くし、起床予定時刻から就床予定時刻までの期間では、音出力部２００から出力される音楽の音量を所定レベルよりも高くしてもよい。
変形例８によれば、利用者が就寝している間に出力される音楽の音量を、利用者が覚醒している間に出力される音楽の音量よりも小さくでき、音楽が利用者の睡眠を妨げることを抑制可能になる。
【００７９】
＜変形例９＞
第３実施形態に示された昼寝管理部１０４ｆと、音信号生成部１０４ｃ２がアラーム情報に応じて音楽情報Ｍ１に応じた音信号を音出力部２００に供給する機能が、第２実施形態に付加されてもよい。
【００８０】
＜変形例１０＞
音楽情報Ｍ１〜Ｍ３のうち少なくとも２つは同じ音楽を表してもよい。また、音楽情報Ｍ４〜Ｍ６のうち少なくとも２つは同じ音楽を表してもよい。
【００８１】
＜変形例１１＞
決定部１０４ｂは、第１イベントの予定時刻に応じて第１イベントの予定時刻と第２イベントの予定時刻との間の時間が変更するように、第２イベントの予定時刻を決定してもよい。
例えば、第１イベントが起床であり、第２イベントが朝食である場合、決定部１０４ｂは、起床予定時刻が遅くなるほど、起床予定時刻と朝食予定時刻との間の時間が短くなるように、朝食予定時刻を決定してもよい。
【００８２】
＜変形例１２＞
決定部１０４ｂが第２イベントの予定時刻を決定した後に利用者に外出の予定が入った場合、利用者は第２イベントを実行できないことがある。このような場合、実行できない第２イベントの予定時刻の到来を知らせることは無駄になる可能性が高い。このため、各実施形態において例えば図８に示した動作が行われることによって、実行できない第２イベントの予定時刻の到来の知らせを省略することが好ましい。なお、図８において、図５に示した処理と同一の処理には同一符号を付してある。以下、図８に示した処理について、図５に示した処理と異なる点を中心に説明する。
【００８３】
ステップＳ５０２が終了した後に、受取部１０４ａが入力部１０２から利用者Ｅの外出予定時刻を受け取ると（ステップＳ８０１）、受取部１０４ａは、外出予定時刻を決定部１０４ｂに供給する。
【００８４】
決定部１０４ｂは、外出予定時刻を受け取ると、起床予定時刻が外出予定時刻よりも早いか否かを判断する（ステップＳ８０２）。
起床予定時刻が外出予定時刻よりも遅い場合または起床予定時刻が外出予定時刻と等しい場合（ステップＳ８０２：ＮＯ）、決定部１０４ｂは、不図示の表示部を用いてエラー表示を実行する（ステップＳ８０３）。この場合、利用者Ｅは、エラー表示を認識することによって、起床予定時刻および外出予定時刻を再び入力部１０２に入力する。
【００８５】
一方、起床予定時刻が外出予定時刻よりも早い場合（ステップＳ８０２：ＹＥＳ）、決定部１０４ｂは、起床予定時刻から外出予定時刻までの時間が第２時間（例えば、４０分）よりも短いか否かを判断する（ステップＳ８０４）。なお、第２時間は４０分に限らず適宜変更可能である。また、第２時間を示す第２時間情報が記憶部１０３に記憶され、決定部１０４ｂは、記憶部１０３から第２時間情報を読み出すことによって第２時間を認識する。
【００８６】
起床予定時刻から外出予定時刻までの時間が第２時間より短い場合（ステップＳ８０４：ＹＥＳ）、決定部１０４ｂは、起床予定時刻から外出予定時刻までの時間帯に、ステップＳ５０２で決定した第２イベントの予定時刻のいずれかが含まれるか否かを判断する（ステップＳ８０５）。
【００８７】
起床予定時刻から外出予定時刻までの時間帯にいずれかの第２イベントの予定時刻が含まれる場合（ステップＳ８０５：ＹＥＳ）、決定部１０４ｂは、その第２イベント（該当第２イベント）の予定時刻を、ステップＳ５０２で決定した予定時刻の中から省略する（ステップＳ１００６）。その後、ステップＳ５０３以降の処理が実行される。なお、ステップＳ５０３では、外出の予定時刻も記憶部１０３に記憶される。
【００８８】
なお、起床予定時刻から外出予定時刻までの時間が第２時間以上である場合（ステップＳ８０４：ＮＯ）、および、起床予定時刻から外出予定時刻までの時間帯にいずれの第２イベントの予定時刻も含まれない場合（ステップＳ８０５：ＮＯ）、ステップＳ５０３以降の処理が実行される。
【００８９】
変形例１２によれば、ステップＳ８０６で省略された該当第２イベントの予定時刻はステップＳ５０３において記憶部１０３に記憶されないので、利用者Ｅが実行できる可能性の低いイベントについては、その予定時刻の到来の知らせを省略できる。なお、変形例１２では、制御部１０４ｃは、外出の予定時刻が第１イベントの予定時刻よりも遅く、かつ、第１イベントの予定時刻と外出の予定時刻との間の時間帯の長さが第２時間よりも短く、かつ、第２イベントの予定時刻が当該時間帯に含まれる場合に、その第２イベントの予定時刻の到来を知らせることを中止することになる。
【００９０】
＜変形例１３＞
制御部１０４ｃは、昼食の予定時刻から既定時間（例えば３時間）の間、基準テンポよりもテンポの速い音楽を、音出力部２００から出力してもよい。なお、既定時間は３時間に限らず適宜変更可能である。なお、既定時間を示す既定時間情報が記憶部１０３に記憶され、制御部１０４ｃは、記憶部１０３から既定時間情報を読み出すことによって規定時間を認識する。変形例１３によれば、利用者Ｅの昼寝を抑制することが可能になる。
【００９１】
＜変形例１４＞
処理部１０４がプログラムを実行することによって実現される機能部（受取部１０４ａ、決定部１０４ｂ、制御部１０４ｃ、出力制御部１０４ｃ１、音信号生成部１０４ｃ２、生体情報取得部１０４ｄ、テンポ設定部１０４ｅ、および昼寝管理部１０４ｆ）の全部または一部が電子回路で実現されてもよい。
【００９２】
＜変形例１５＞
実際にイベントが実施された時刻（またはタイミング）を入力する手段を設け（なお、入力部１０２が、この手段を兼ねてもよい）、次のイベントまでの時間が短縮された場合に、決定部１０４ｂは、この短縮された時間を、イベント間の時間間隔を修正することにより吸収してもよい。
例えば、起床予定時刻が午前６時に設定され、朝食予定時刻が午前６時から１時間後の７時に設定されている状況で、実際の起床時刻が午前６時３０分であった場合、起床から朝食までの時間が３０分になってしまう。このような場合には、決定部１０４ｂは、実際の起床時刻（午前６時３０分）から、修正した間隔（例えば１時間を４５分に修正）を用いて、朝食予定時刻を午前６時４５分と設定してもよい。
また、起床予定時刻が午前６時に設定され、就床予定時刻が午後１１時に設定されている状況で、実際の起床時刻が午前６時３０分であった場合、睡眠時間が７時間では不足していたと考えられるため、決定部１０４ｂは、睡眠時間を３０分増やして、その日の就床予定時刻を３０分早めるようにしてもよい。
【符号の説明】
【００９３】
１…睡眠改善支援システム、１００…睡眠改善支援装置、１０１…時計部、１０２…入力部、１０３…記憶部、１０４…処理部、１０４ａ…受取部、１０４ｂ…決定部、１０４ｃ…制御部、１０４ｃ１…出力制御部、１０４ｃ２…音信号生成部、２００…音出力部。
【図１】
2018019951.tif 000003
【図２】
2018019951.tif 000004
【図３】
2018019951.tif 000005
【図４】
2018019951.tif 000006
【図５】
2018019951.tif 000007
【図６】
2018019951.tif 000008
【図７】
2018019951.tif 000009
【図８】
2018019951.tif 000010